(57)【要約】【課題】除染を必要とする空間内の内容物を腐食することなく、従来に比べ安全で短時間に大空間の除染が可能な除染方法を提供すること。【解決手段】閉鎖空間内での二酸化塩素の気相付与によって汚染物質を除去し、かつ前記閉鎖空間内にある内容物の化学腐食を低減する方法であって、水蒸気量１０ｇ／ｍ3以下の環境下とした前記閉鎖空間において、二酸化塩素ガスを発生させる工程と、二酸化塩素ガス濃度２３０ｐｐｍ以下、かつＣＴ値５０〜２０００ｐｐｍ・時で二酸化塩素ガスを前記閉鎖空間へ導入する工程とを含む方法。【選択図】図３
2019166408.tif 000002
【特許請求の範囲】
【請求項１】
閉鎖空間内での二酸化塩素の気相付与によって汚染物質を除去し、かつ前記閉鎖空間内にある内容物の化学腐食を低減する方法であって：
水蒸気量１０ｇ／ｍ3以下の環境下とした前記閉鎖空間において；
二酸化塩素ガスを発生させる工程と；
二酸化塩素ガス濃度２３０ｐｐｍ以下、かつＣＴ値５０〜２０００ｐｐｍ・時で二酸化塩素ガスを前記閉鎖空間へ導入する工程とを含む方法。
【請求項２】
閉鎖空間内の相対湿度が３１％以下である、請求項１記載の方法。
【請求項３】
二酸化塩素ガスを、二酸化塩素ガス濃度１０〜２３０ｐｐｍ、曝露時間６．０時間以内、かつＣＴ値５０〜１０００ｐｐｍ・時で前記閉鎖空間へ導入する、請求項１または２記載の方法。
【請求項４】
ＣＴ値が５０〜９５３ｐｐｍ・時である、請求項１〜３のいずれか一項に記載の方法。
【請求項５】
ＣＴ値が５０〜１４９ｐｐｍ・時である、請求項１〜４のいずれか一項に記載の方法。
【請求項６】
閉鎖空間内での二酸化塩素の気相付与によって汚染物質を３ｌｏｇ低減し、かつ前記閉鎖空間内にある内容物の化学腐食を低減する方法であって：
水蒸気量１０ｇ／ｍ3以下、かつ相対湿度３１％以下の環境下とした前記閉鎖空間において；
二酸化塩素ガスを発生させる工程と；
二酸化塩素ガス濃度２３０ｐｐｍ以下、かつＣＴ値５０〜２０００ｐｐｍ・時で二酸化塩素ガスを前記閉鎖空間へ導入する工程とを含む、請求項１記載の方法。
【請求項７】
閉鎖空間内での二酸化塩素の気相付与によって汚染物質を４ｌｏｇ低減し、かつ前記閉鎖空間内にある内容物の化学腐食を低減する方法であって：
水蒸気量１０ｇ／ｍ3以下、かつ相対湿度３１％以下の環境下とした前記閉鎖空間において；
二酸化塩素ガスを発生させる工程と；
二酸化塩素ガス濃度２３０ｐｐｍ以下、かつＣＴ値１００〜２０００ｐｐｍ・時で二酸化塩素ガスを前記閉鎖空間へ導入する工程とを含む、請求項６記載の方法。
【請求項８】
閉鎖空間内での二酸化塩素の気相付与によって汚染物質を５ｌｏｇ低減し、かつ前記閉鎖空間内にある内容物の化学腐食を低減する方法であって：
水蒸気量１０ｇ／ｍ3以下、かつ相対湿度３１％以下の環境下とした前記閉鎖空間において；
二酸化塩素ガスを発生させる工程と；
二酸化塩素ガス濃度２３０ｐｐｍ以下、かつＣＴ値１３０〜２０００ｐｐｍ・時で二酸化塩素ガスを前記閉鎖空間へ導入する工程とを含む、請求項６または７記載の方法。
【請求項９】
閉鎖空間内での二酸化塩素の気相付与によって汚染物質を６ｌｏｇ低減し、かつ前記閉鎖空間内にある内容物の化学腐食を低減する方法であって：
水蒸気量１０ｇ／ｍ3以下、かつ相対湿度３１％以下の環境下とした前記閉鎖空間において；
二酸化塩素ガスを発生させる工程と；
二酸化塩素ガス濃度２３０ｐｐｍ以下、かつＣＴ値４００〜２０００ｐｐｍ・時で二酸化塩素ガスを前記閉鎖空間へ導入する工程とを含む、請求項６〜８のいずれか一項に記載の方法。
【請求項１０】
汚染物質が芽胞形成菌である、請求項１〜９のいずれか一項に記載の方法。
【発明の詳細な説明】
【技術分野】
【０００１】
本発明は、二酸化塩素の気相付与による閉鎖空間の除染方法に関する。
【背景技術】
【０００２】
ホルマリンによる除染方法は、ホルムアルデヒドの優れた浸透力から医薬品製造施設等における除染方法の主流として活用されてきた。しかし、発がん性の懸念から各国においてホルマリンの使用規制が強化されたため、除染作業における過酸化水素や過酢酸等のホルマリン代替薬品の検討が進んでいる。
【０００３】
過酸化水素は、凝縮による生産装置や内装建材の腐食が懸念されること、また残留ガスの除去に時間がかかることから、特に異物の混入が厳しく制限される無菌室の除染においては使用が困難となる場合がある。また、過酢酸製剤は通常霧状で使用されることから、気中拡散性に劣り、広い空間の除染には適していないという問題がある。
【０００４】
二酸化塩素ガスは、アメリカ環境保護局（Environmental Protection Agency，EPA）において燻蒸の滅菌剤として１９８８年より認可されている。また、環境消毒や無菌操作が求められるバイオセイフティキャビネット内を二酸化塩素ガスで滅菌する方法は、米国国家規格協会（ＡＮＳＩ）によって規格化されている。
【０００５】
特許文献１には、閉鎖空間に環境制御下で所定のＣＴ値の二酸化塩素ガスを導入することによる除染方法が開示されている。
【先行技術文献】
【特許文献】
【０００６】
【特許文献１】特許第５８２３９５７号公報
【発明の概要】
【発明が解決しようとする課題】
【０００７】
本発明は、防菌、防カビ対策が必要な施設を対象として、除染を必要とする空間内の内容物を腐食することなく、従来に比べ安全かつ短時間に大空間の除染が可能な除染方法を提供するものである。
【課題を解決するための手段】
【０００８】
本発明者らは、上記課題解決のため鋭意検討した結果、閉鎖空間に、所定の水蒸気量以下の環境下、二酸化塩素ガスを導入することにより、空間内の内容物を腐食することなく、従来に比べ安全かつ短時間に除染を実施できることを見出し、本発明を完成させた。
【０００９】
すなわち、本発明は、
〔１〕閉鎖空間内での二酸化塩素の気相付与によって汚染物質を除去し、かつ前記閉鎖空間内にある内容物の化学腐食を低減する方法であって：
水蒸気量１０ｇ／ｍ3以下の環境下とした前記閉鎖空間において；
二酸化塩素ガスを発生させる工程と；
二酸化塩素ガス濃度１０〜２３０ｐｐｍ、かつＣＴ値５０〜２０００ｐｐｍ・時で二酸化塩素ガスを前記閉鎖空間へ導入する工程とを含む方法、
【００１０】
〔２〕閉鎖空間内での二酸化塩素の気相付与によって汚染物質を除去し、かつ前記閉鎖空間内にある内容物の化学腐食を低減する方法であって：
水蒸気量１０ｇ／ｍ3以下の環境下とした前記閉鎖空間において；
二酸化塩素ガスを発生させる工程と；
二酸化塩素ガス濃度２０〜２３０ｐｐｍ、かつＣＴ値６０〜２０００ｐｐｍ・時で二酸化塩素ガスを前記閉鎖空間へ導入する工程とを含む、〔１〕記載の方法、
【００１１】
〔３〕汚染物質を３ｌｏｇ低減するのに有効な二酸化塩素ガス濃度１０〜１００ｐｐｍ、かつＣＴ値５０〜２００ｐｐｍ・時で二酸化塩素ガスを閉鎖空間へ導入する工程を含む、〔１〕または〔２〕記載の方法、
【００１２】
〔４〕汚染物質を３ｌｏｇ低減するのに有効な二酸化塩素ガス濃度２０〜１００ｐｐｍ、かつＣＴ値６０〜１５０ｐｐｍ・時で二酸化塩素ガスを閉鎖空間へ導入する工程を含む、〔１〕または〔２〕記載の方法、
【００１３】
〔５〕汚染物質を４ｌｏｇ低減するのに有効な二酸化塩素ガス濃度２０〜１５０ｐｐｍ、かつＣＴ値１００〜３３０ｐｐｍ・時で二酸化塩素ガスを閉鎖空間へ導入する工程を含む、〔１〕または〔２〕記載の方法、
【００１４】
〔６〕汚染物質を４ｌｏｇ低減するのに有効な二酸化塩素ガス濃度５０〜１５０ｐｐｍ、かつＣＴ値１５０〜３３０ｐｐｍ・時で二酸化塩素ガスを閉鎖空間へ導入する工程を含む、〔１〕または〔２〕記載の方法、
【００１５】
〔７〕汚染物質を５ｌｏｇ低減するのに有効な二酸化塩素ガス濃度４０〜２００ｐｐｍ、かつＣＴ値１３０〜６００ｐｐｍ・時で二酸化塩素ガスを閉鎖空間へ導入する工程を含む、〔１〕または〔２〕記載の方法、
【００１６】
〔８〕汚染物質を５ｌｏｇ低減するのに有効な二酸化塩素ガス濃度８０〜２００ｐｐｍ、かつＣＴ値３００〜６００ｐｐｍ・時で二酸化塩素ガスを閉鎖空間へ導入する工程を含む、〔１〕または〔２〕記載の方法、
【００１７】
〔９〕汚染物質を６ｌｏｇ低減するのに有効な二酸化塩素ガス濃度５０〜２３０ｐｐｍ、かつＣＴ値４００〜２０００ｐｐｍ・時で二酸化塩素ガスを閉鎖空間へ導入する工程を含む、〔１〕または〔２〕記載の方法、
【００１８】
〔１０〕汚染物質を６ｌｏｇ低減するのに有効な二酸化塩素ガス濃度１００〜２３０ｐｐｍ、かつＣＴ値５００〜２０００ｐｐｍ・時で二酸化塩素ガスを閉鎖空間へ導入する工程を含む、〔１〕または〔２〕記載の方法、
【００１９】
〔１１〕閉鎖空間内の相対湿度が６０％以下である、〔１〕〜〔１０〕のいずれかに記載の方法、
【００２０】
〔１２〕閉鎖空間内の相対湿度が４５％以下である、〔１〕〜〔１０〕のいずれかに記載の方法、
【００２１】
〔１３〕汚染物質が、細菌、真菌、およびウイルスからなる群から選ばれる１種以上である、〔１〕〜〔１２〕のいずれかに記載の方法、
【００２２】
〔１４〕汚染物質が、芽胞形成菌である、〔１〕〜〔１２〕のいずれかに記載の方法、に関する。
【発明の効果】
【００２３】
本発明によれば、防菌、防カビ対策が必要な施設を対象として、除染を必要とする空間内の内容物を腐食することなく、従来に比べ安全で短時間に大空間の除染を行うことができる。したがって、本発明は、特に異物の混入が厳しく制限される医薬品工場や食品工場等における除染の際に非常に有用な手法となり得る。
【図面の簡単な説明】
【００２４】
【図１】本実施形態において使用される除染システムの模式図である。
【図２】高濃度曝露試験における二酸化塩素ガス濃度の経時変化を表す概略的なグラフである。
【図３】低濃度曝露試験における二酸化塩素ガス濃度の経時変化を表す概略的なグラフである。
【図４】実施例３２の、閉鎖空間内の二酸化塩素ガス濃度の経時変化を示すグラフである。
【図５】相対湿度と乾球温度より求めた水蒸気量換算表である。
【図６】実施例１〜７の二酸化塩素ガスＣＴ値と残存菌数との関係を示すグラフである。
【発明を実施するための形態】
【００２５】
以下、本発明の構成について詳述する。
【００２６】
＜二酸化塩素ガスの特徴＞
二酸化塩素ガスは、解放系では揮散しやすいという特徴を有し、汚染物質の除去に有効な濃度まで迅速に濃度を上昇させることができる。また、狭隘な空間にも進入しやすいことから、狭隘な空間に存在する汚染物質に対しても十分に除去効果を発揮することができる。
【００２７】
二酸化塩素は、殺菌力が非常に優れており、殺菌消毒液として一般に使用されている無水エタノールの約５０万倍、グルコン酸クロルヘキシジンの約１００倍、塩化ベンザルコニウムの約１００倍、次亜塩素酸ナトリウムの約１０倍の殺菌力を有している。また、二酸化塩素は、塩素のようにｐＨ値の上昇による殺菌力の低下が見られず、広範囲なｐＨ領域での有効性が認められている。
【００２８】
二酸化塩素は、抗菌スペクトルが幅広く、細菌、真菌、ウイルス等の汚染物質に対し優れた滅菌および殺菌効果を示す。例えば、大腸菌やサルモネラ菌の他、レジオネラ菌、緑膿菌、腸炎ビブリオ、乳酸球菌、乳酸桿菌、セレウス菌、クロストリジウム、カンピロバクター、クラドスポリウム、フザリウム、クモノスカビ、青カビ、白癬菌等に対する殺菌試験でその効果が確認されている。また、インフルエンザウイルス、ノロウイルス、ＨＩＶ、Ｂ型肝炎ウイルス、ロタウイルス、イヌパルボウイルス等のウイルスに対する不活化も確認されている。
【００２９】
二酸化塩素は化学構造的に安定であり、発がん性物質を生成せず、かつ人体に対する毒性も少なく安全性が高い等の利点もある。
【００３０】
二酸化塩素ガスは、比較的短時間で分解される。そのため、除染処理後の後処理の手間や労力が省かれる。
【００３１】
＜汚染物質の除去について＞
本実施形態に係る除染方法によれば、閉鎖空間内での二酸化塩素の気相付与によって汚染物質を短時間で効果的に除去することができる。
【００３２】
本実施形態において「閉鎖空間」とは、完全に密閉された空間である必要はなく、二酸化塩素ガスが空間内において充満されるような空間であればよい。このような空間であれば、本発明の効果を十分に得ることができる。「閉鎖空間」は特に制限されないが、異物の混入が厳しく制限される、医薬品工場、食品工場、病院、研究所等の施設おける製造ライン、作業室、実験室、手術室等において好適に実施され、これらは密閉された空間であることがより好ましい。
【００３３】
「閉鎖空間」には、金属製物体、非金属製物体、およびそれらの組み合わせからなる群から選択される内容物を含むことができる。閉鎖空間内の金属製物体は、鋼、アルミニウム、鉄、銅、クロム、鉛、およびそれらの組み合わせからなる群から選択される金属から形成されることができる。非金属製物体は、木材、れんが、石材、シンダーコンクリート、セラミックタイル、天井タイル、カーペット、織物、およびそれらの組み合わせからなる群から選択される材料から形成されることができる。内容物の具体例としては、例えば、生産装置、製造機械、空調機、除湿機、計測器、分析機器、電子機器（例えば、電話機器、コンピューター、コピー機および他の電子オフィス機器）、照明機器、音響機器、内部建材および配管、実験器具、手術用具、工具、その他の備品等が挙げられる。
【００３４】
本実施形態における「汚染物質」としては、例えば、細菌、真菌、ウイルス等が挙げられる。また、本実施形態における「汚染物質の除去方法」とは、前記汚染物質を、消毒、殺菌および／または滅菌する方法を意味する。
【００３５】
「細菌」とは、ウイルスよりも大きく、硬い細胞壁を持つ単細胞の微生物である。細菌としては、例えば、ボツリヌス菌、ウェルシュ菌、セレウス菌、枯草菌、破傷風菌、炭疽菌等の芽胞形成菌や、ブドウ球菌、大腸菌、サルモネラ菌、レジオネラ菌、緑膿菌、コレラ菌、結核菌、レンサ球菌、腸炎ビブリオ等が挙げられる。本実施形態においては、乾燥、高温、薬品等に強い抵抗性を示し除去が困難とされる、前記に例示される芽胞形成菌に対しても高い除去効果を発揮する。芽胞形成菌としては、例えば、バシラス属（Bacillus）、クロストリジウム属（Clostridium）等が挙げられる。
【００３６】
「真菌」とは、菌類のうち、細菌および変形菌（粘菌）を除くものの総称であって、カビ類、キノコ類、酵母類等が含まれる。
【００３７】
「ウイルス」とは、中心の核酸（ＤＮＡもしくはＲＮＡのいずれか）がカプシドと呼ばれる殻に包まれた単純な構造を有している構造体のことをいう。ウイルスとしては、例えば、エボラウイルス、ノロウイルス、ロタウイルス、インフルエンザウイルス、アデノウイルス、コロナウイルス、麻疹ウイルス、風疹ウイルス、肝炎ウイルス、ヘルペスウイルス、ＨＩＶ等が挙げられる。
【００３８】
本実施形態において、３ｌｏｇ低減、４ｌｏｇ低減、５ｌｏｇ低減、６ｌｏｇ低減とは、それぞれ、バイオロジカルインジケーター（ＢＩ）に担持された初期菌数に対して、殺菌操作により残存した菌数がどの位のオーダーまで低減したかを表す指標である。具体的には、例えば、初期菌数が2.8×106 c.f.u.の場合、３ｌｏｇ低減は菌数が2.8×103 c.f.u.以下、４ｌｏｇ低減は菌数が2.8×102 c.f.u.以下、５ｌｏｇ低減は菌数が2.8×10 c.f.u.以下、６ｌｏｇ低減は菌数が2.8c.f.u.以下となることを示す。
【００３９】
本実施形態において「消毒する」とは、閉鎖空間および閉鎖空間の内容物を清浄化するプロセスを指し、一般的には、生菌の３ｌｏｇ低減、すなわち９９．９％以上の減少を指す。
【００４０】
本実施形態において「殺菌する」とは、閉鎖空間および閉鎖空間の内容物上にある病原体を除去するまたはこれらを不活性化させるプロセス、例えば、病原菌および／または細菌を殺作用するまたは無害化するプロセスを指し、一般的には、生菌の４ｌｏｇ低減、すなわち９９．９９％以上の減少を指す。
【００４１】
本実施形態において「滅菌する」とは、微生物の生存能力を完全に除去するプロセス、例えば、非病原性および病原性の胞子、真菌、細菌、およびウイルスを全て殺作用することを指し、一般的には、生菌の６ｌｏｇ低減、すなわち９９．９９９９％以上の減少を指す。これは、統計学的には、微生物およびそれらの胞子を全て破壊すること、すなわち生菌生存率が０であるものと当業者に理解される。
【００４２】
＜環境条件の設定＞
本実施形態では、除染される閉鎖空間内の水蒸気量が１０ｇ／ｍ3以下に調整されることを特徴とする。閉鎖空間内の相対湿度が低い場合であっても、水蒸気量が１０ｇ／ｍ3以上となった場合、特に表面処理が施されていない鉄、アルミニウム、銅などは腐食の発生リスクが高くなり、従来から除染時に実施されている相対湿度による室内管理（例えば、特許文献１）では、内容物の腐食を防止するのに不十分であった。また、閉鎖空間内の水蒸気量を１０ｇ／ｍ3以下とすることにより、二酸化塩素ガスの拡散がより良好となる利点がある。閉鎖空間内の水蒸気量が、二酸化塩素発生時から除染終了時まで１０ｇ／ｍ3以下に維持されていれば、本発明の効果を十分に得ることができる。好ましくは９．５ｇ／ｍ3以下であり、より好ましくは９．０ｇ／ｍ3以下であり、さらに好ましくは８．５ｇ／ｍ3以下であり、特に好ましくは８．０ｇ／ｍ3以下である。閉鎖空間内の水蒸気量の下限値は特に制限されないが、例えば、０．１ｇ／ｍ3以上、０．５ｇ／ｍ3以上、１．０ｇ／ｍ3以上、２．０ｇ／ｍ3以上、３．０ｇ／ｍ3以上、４．０ｇ／ｍ3以上とすることができる。
【００４３】
閉鎖空間内の温度（乾球温度）は、３１℃以下に調整されることが好ましい。この範囲内であれば、相対湿度が３１％以下において常に水蒸気量が１０ｇ／ｍ3以下となる（図５参照）。閉鎖空間内の室温は、好ましくは５〜３１℃であり、より好ましくは１６〜３０℃であり、さらに好ましくは１８〜２８℃であり、特に好ましくは２０〜２６℃である。
【００４４】
閉鎖空間内の相対湿度は、好ましくは６０％以下であり、より好ましくは４５％以下であり、より好ましくは３７％以下であり、より好ましくは３１％以下であり、さらに好ましくは３０％以下であり、特に好ましくは２８％以下である。閉鎖空間内の相対湿度の下限値は特に制限されないが、例えば、０．１％以上、０．５％以上、１．０％以上、５．０％以上、１０％以上、１５％以上、２０％以上とすることができる。
【００４５】
水蒸気量（ｇ／ｍ3）は、気体の状態方程式に水蒸気分圧（ｈＰａ）および乾球温度（℃）を代入することにより求めることができる。水蒸気分圧（ｈＰａ）は、飽和水蒸気圧（ｈＰａ）に相対湿度（％）を掛けることにより求めることができる。飽和水蒸気圧（ｈＰａ）は、Ｔｅｌｅｎｓ（１９３０）の式に乾球温度（℃）を代入することにより求めることができる。図５に、相対湿度（％）と乾球温度（℃）より求めた水蒸気量換算表を示す。
【００４６】
なお、本実施形態では、閉鎖空間内の水蒸気量が１０ｇ／ｍ3以下であることが管理されていれば、除染中において空調機および／または除湿機を稼働することを必ずしも要しない。
【００４７】
＜二酸化塩素の発生＞
二酸化塩素ガスを発生させる発生源としては特に限定されないが、例えば、二酸化塩素が溶存された二酸化塩素水が挙げられる。このような二酸化塩素水からは、溶存された二酸化塩素ガスが遊離される。二酸化塩素水に溶存される二酸化塩素の濃度としては特に限定されず、衛生管理すべき空間の容積や、目的とする二酸化塩素ガス濃度に応じて適宜調整される。二酸化塩素は、例えば０．０１〜０．８質量％となるように溶存されていればよい。本実施形態では、二酸化塩素水に対して、溶液中に空気を送り込む方法（エアレーション）、減圧する方法、送風する方法等を採用して、二酸化塩素ガスの遊離が促されてもよい。これらの中でも、二酸化塩素水に対してエアレーションを行うことにより、二酸化塩素ガスの遊離が促されやすく、除染される閉鎖空間の二酸化塩素ガス濃度は高められやすい。その結果、除染の所要時間は短縮化されやすい。
【００４８】
上記の他に、二酸化塩素ガスを発生させる発生源としては、例えば、亜塩素酸ナトリウム水溶液と、塩素、無機酸または有機酸とを製剤化した製剤が挙げられる。無機酸としては、塩酸、硫酸等が例示される。有機酸としては、クエン酸、乳酸、ピルビン酸、リンゴ酸、酒石酸、グルコン酸、グリコール酸、フマル酸、マロン酸、マレイン酸、シュウ酸、コハク酸、アクリル酸等が例示される。亜塩素酸ナトリウム水溶液と、これら塩素、無機酸または有機酸との反応により、二酸化塩素ガスが簡便に生成される。また、これら簡便な反応系は、わずか２種類の原料を適切に混合するだけであるため、製剤化されやすく、かつ、利用者が利用しやすい。製剤としては、亜塩素酸ナトリウムと、塩素、無機酸または有機酸とが適宜反応し得るように調整されたスプレー剤、くん煙剤、ゲル剤、シート剤、スティック剤等が例示される。
【００４９】
亜塩素酸ナトリウム水溶液と、塩素、無機酸または有機酸とを反応させる際の配合割合としては特に限定されず、使用する原料の種類により適宜選択される。例えば、亜塩素酸ナトリウム水溶液と塩酸とが選択される場合には、亜塩素酸ナトリウム１〜２５質量％に対して、塩酸が０．３〜１５質量％配合されればよい。この場合において、亜塩素酸ナトリウム５〜２５質量％に対して塩酸が１．５〜１２質量％配合されることが好ましく、亜塩素酸ナトリウム１０〜２５質量％に対して塩酸が３〜１２質量％配合されることがより好ましい。亜塩素酸ナトリウムの配合量が１質量％未満の場合、必要とされる亜塩素酸ナトリウム水溶液の量が増え、利便性が低下する傾向がある。一方、亜塩素酸ナトリウムの配合量が２５質量％を超える場合、毒物劇物取締法に規定される劇物に該当し、取扱いが制限され、製剤化が困難となる傾向がある。
【００５０】
＜二酸化塩素の導入＞
閉鎖空間に導入する二酸化塩素ガス濃度は、汚染物質を除去する効果を高める観点から、１０ｐｐｍ以上となるように使用されることが好ましく、１５ｐｐｍ以上がより好ましく、２０ｐｐｍ以上がさらに好ましい。また、二酸化塩素の気相付与による内容物の腐食を防止する観点から、２３０ｐｐｍ以下であることが好ましい。
【００５１】
図２および図３は、それぞれ、８０ｐｐｍ以上の高濃度曝露試験および８０ｐｐｍ未満の低濃度曝露試験における二酸化塩素ガス濃度の経時変化を表す概略的なグラフである。縦軸は二酸化塩素ガス濃度（ｐｐｍ）を示し、横軸は時間（時）を示している。すなわち、例えば二酸化塩素ガスを発生する発生源から放出される場合には、時間の経過とともに徐々に空間内の濃度が高められる。その後、二酸化塩素ガスの濃度は、発生量よりも分解量が上回ることにより、最大濃度を示した後に減少する。本実施形態では、二酸化塩素ガスは、除染の過程において最大濃度が所定の濃度（例えば１０ｐｐｍ）以上となるように使用されることにより、除染効果を好適に発揮する。なお、本実施形態によれば、２種類の反応液（亜塩素酸ナトリウム水および塩酸）の反応量を薬液ポンプ吐出量で自動調整させ、必要な二酸化塩素ガスを閉鎖空間へ供給することにより、所定の二酸化塩素目標濃度まで高め、以降はほぼ一定の二酸化塩素ガス濃度となるように自動制御することができる。
【００５２】
本実施形態において「ＣＴ値」とは、「二酸化塩素ガスの濃度（ｐｐｍ）」と「時間（時）」との積分値である。例えば、図２および図３において、ＣＴ値は、横軸とグラフとにより画定される領域の面積として表される。濃度積算値と表現されることもある。
【００５３】
３ｌｏｇないし４ｌｏｇ低減のためには、二酸化塩素ガスが８０ｐｐｍ未満の低濃度曝露では少なくとも５０ｐｐｍ・時、８０ｐｐｍ以上の高濃度曝露では少なくとも１４０ｐｐｍ・時のＣＴ値を要する。高濃度曝露は、必要とする薬液が多くなること、また閉鎖空間内の内容物の腐食リスクを最小限にするため、３ｌｏｇないし４ｌｏｇ低減のためには、８０ｐｐｍ未満の低濃度曝露が好ましい。一方、５ｌｏｇないし６ｌｏｇ低減のためには、低濃度曝露では除染に長時間を要し非効率であり、高濃度曝露の方が効率的に菌数を低減できる。図６に、実施例１〜７の二酸化塩素ガスＣＴ値と残存菌数との関係を表すグラフを示す。低濃度曝露の条件で３ｌｏｇと４ｌｏｇを達成しているＣＴ値は、高濃度曝露の条件で３ｌｏｇと４ｌｏｇを達成しているＣＴ値よりも低い傾向であること、また高濃度曝露の条件で５ｌｏｇと６ｌｏｇを達成しているＣＴ値は、低濃度曝露の条件で５ｌｏｇと６ｌｏｇを達成しているＣＴ値よりも低い傾向であることがわかる。
【００５４】
より具体的には、３ｌｏｇ低減のためには、二酸化塩素ガス濃度は１０〜１００ｐｐｍが好ましく；１５〜１００ｐｐｍがより好ましく；２０〜１００ｐｐｍがより好ましく；３０〜８０ｐｐｍがさらに好ましく；３０〜６０ｐｐｍが特に好ましい。ＣＴ値は、５０〜１５０ｐｐｍ・時が好ましく；５５〜１５０ｐｐｍ・時がより好ましく；６０〜１５０ｐｐｍ・時がより好ましく；９０〜１２０ｐｐｍ・時がさらに好ましく；１００〜１１０ｐｐｍ・時が特に好ましい。
【００５５】
４ｌｏｇ低減のためには、二酸化塩素ガス濃度は２０〜１５０ｐｐｍが好ましく；２５〜１５０ｐｐｍがより好ましく；５０〜１５０ｐｐｍがより好ましく；５０〜１００ｐｐｍがさらに好ましく；５０〜８０ｐｐｍが特に好ましい。ＣＴ値は、１００〜３３０ｐｐｍ・時が好ましく；１１０〜３３０ｐｐｍ・時がより好ましく；１５０〜３３０ｐｐｍ・時がより好ましく；１８０〜２５０ｐｐｍ・時がさらに好ましく；１９０〜２４０ｐｐｍ・時が特に好ましい。
【００５６】
５ｌｏｇ低減のためには、二酸化塩素ガス濃度は４０〜２００ｐｐｍが好ましく；６０〜２００ｐｐｍがより好ましく；８０〜２００ｐｐｍがより好ましく；８０〜１８０ｐｐｍがさらに好ましく；１００〜１５０ｐｐｍが特に好ましい。ＣＴ値は、１３０〜６００ｐｐｍ・時が好ましく；２００〜６００ｐｐｍ・時がより好ましく；３００〜６００ｐｐｍ・時がより好ましく；３３０〜４００ｐｐｍ・時がさらに好ましく；３５０〜３８０ｐｐｍ・時が特に好ましい。
【００５７】
６ｌｏｇ低減のためには、二酸化塩素ガス濃度は５０〜２３０ｐｐｍが好ましく；７０〜２３０ｐｐｍがより好ましく；１００〜２３０ｐｐｍがより好ましく；１３０〜２００ｐｐｍがさらに好ましく；１６０〜１９０ｐｐｍが特に好ましい。ＣＴ値は、４００〜２０００ｐｐｍ・時が好ましく；４５０〜２０００ｐｐｍ・時がより好ましく；５００〜２０００ｐｐｍ・時がより好ましく；５５０〜１５００ｐｐｍ・時がさらに好ましく；５８０〜１０００ｐｐｍ・時が特に好ましい。
【００５８】
本実施形態では、所定のＣＴ値は、二酸化塩素ガスの使用開始時から二酸化塩素ガスが分解されるまでの時間において達成されればよい。所定のＣＴ値は、二酸化塩素ガスの使用開始時から４時間以内に達成されることが好ましく、３時間以内に達成されることがより好ましく、２時間以内に達成されることがさらに好ましく、１．５時間以内に達成されることが特に好ましい。所定のＣＴ値が短時間で達成されることにより、除染の所要時間が短縮されることから、種々の施設（例えば製薬工場）において、除染のために休止されていたライン（例えば医薬品の生産ライン）を早期に再開することができ、業務効率の低下が抑えられる。
【００５９】
また、本実施形態において、所定の空間における二酸化塩素ガスの最大濃度は、二酸化塩素ガスの使用開始時から６０分以内に達成されることが好ましく、４０分以内に達成されることがより好ましく、３０分以内に達成されることがさらに好ましい。短時間で最大濃度に到達すると除染効率が高くなり、また濃度上昇速度に対して分解による濃度低下速度によるロスが少なくなる。また、空間内の二酸化塩素ガスの濃度は、最大濃度を示した後に低下する（例えば、図３参照）。そのため、６０分という早い段階で最大濃度を示すことにより、例えばヒトが立ち入ることができる濃度である０．１ｐｐｍ未満までの所要時間は、短縮化される。その結果、種々の施設（例えば製薬工場）において、除染のために休止されていたライン（例えば医薬品の生産ライン）が早期に再開され、業務効率の低下が抑えられる。
【実施例】
【００６０】
本発明を実施例に基づいて説明するが、本発明は、実施例にのみ限定されるものではない。
【００６１】
＜殺菌試験＞
図１に示される除染システムを用いて、除染効果を確認した。閉鎖空間１２（無菌対応室：空間容積約３３ｍ3）内にバイオロジカルインジケーター７（MesaLabs社製Mesa Strip,SPORE STRIP BIOLOGICAL INDICATOR(BI)、品番ACD/6、二酸化塩素ガス用、菌種 Bacillus atrophaeus、初期菌数 2.5〜2.8×106 c.f.u.）を時間毎に必要枚数だけをサンプリングできるよう吊り下げた。除湿機５、空調機１３、および温度湿度指示計１４（ＶＡＩＳＡＬＡ社製）により室内の温度および湿度制御を行い、空間の水蒸気量１０ｇ／ｍ3以下とした。
【００６２】
室内の二酸化塩素ガス濃度を計測するため、二酸化塩素ガス濃度計測器３（アース製薬（株）製ＣＤＭ−５）の吸引装置に接続したテフロン（登録商標）チューブ１１（外径φ６ｍｍ×長さ２０ｍ）を室内の所定場所に固定させた。二酸化塩素ガス発生機１（アース製薬（株）製ＣＤ−７００）および二酸化塩素ガス濃度計測器２並びに３を、空間外部の機械設置室にセットし、ガス供給配管９を通じて無菌対応室へ所定量の二酸化塩素ガスを供給した。空間で希釈された二酸化塩素ガスは、室内空気を還元する配管１０を通じてガス発生機に戻す循環式とした。
【００６３】
二酸化塩素ガス目標濃度に対して２種類の反応液８ａおよび８ｂ（２５％亜塩素酸ナトリウム水および９％塩酸）の反応量を薬液ポンプ吐出量で自動調整させ、必要な二酸化塩素ガスを無菌対応室へ供給した。室内濃度の計測間隔は２分間に１回とした。約３０分間かけて目標濃度まで高め、以降はほぼ一定の二酸化塩素ガス濃度となるよう自動制御した。二酸化塩素ガス濃度を経時的に測定し、ＣＴ値を算出した。
【００６４】
曝露終了後、不要となった空間中の二酸化塩素ガスを除去するため、活性炭吸着型二酸化塩素ガス回収機４を作動させた。ガスの拡散を補助するため、常時サーキュレーター６を作動させた。
【００６５】
閉鎖空間内に設置したバイオロジカルインジケーター７を時間経過毎にサンプリングし、クリーンベンチ内で包装紙から滅菌ピンセットを用いて取り出し、生理食塩水２ｍＬ中に浸漬してガラスビーズ３個を加えた後、ボルテクスミキサーで２０〜３０分ＢＩを粉砕した。得られた粉砕液全量をＳＣＤＬＰ寒天培地に混釈し、約３７℃、約２日間インキュベーターで培養し発生したコロニー数を計測した。
【００６６】
なお、二酸化塩素ガスの標準濃度計測器として、ＡＴｉ社製二酸化塩素ガス濃度計測器を使用することもできる。アース製薬（株）製二酸化塩素ガス濃度計測器ＣＤＭ−５との濃度校正方法は以下のとおりである。
【００６７】
テドラーバッグ（登録商標）を用いて、二酸化塩素ガス発生機１から二酸化塩素ガスを捕集し、アルミホイルで遮光したシリンジに二酸化塩素ガスを１０ｍＬ採取した。５０ｐｐｍエチレンジアミン水溶液２ｍＬを入れた別の容器に、採取した二酸化塩素ガスをシリンジで注入し、二酸化塩素ガスがエチレンジアミン水溶液に溶け込むよう、入念に振りながら混合させた。混合液を試料溶液とし、イオンクロマトグラフィーによりエチレンジアミンと二酸化塩素との反応生成物を定量分析し、得られた定量結果から、反応した二酸化塩素ガス量を算出した。ＡＴｉ社製二酸化塩素ガス濃度計測器の表示値と二酸化塩素ガスの定量結果から検量線を作成した。ＡＴｉ社製二酸化塩素ガス濃度計測器を基準として、計測器のモニターに表示される濃度が真の二酸化塩素ガス濃度と同等となるよう、補正係数を計測器のプログラムに予め入力した。
【００６８】
（高濃度曝露試験）
８０ｐｐｍ以上の高濃度の二酸化塩素ガスを閉鎖空間１２に曝露した。閉鎖空間内は、空調機１３および除湿機５により、温度を１９〜２６℃、水蒸気量を５〜１０ｇ／ｍ3、相対湿度を２５〜４２％に調整した。所定の曝露時間ごとにバイオロジカルインジケーター７を５個ずつ回収し、それぞれの残存菌数を評価した（表１）。
【００６９】
【表１】
2019166408.tif 000003
【００７０】
【表２】
2019166408.tif 000004
【００７１】
（低濃度曝露試験）
８０ｐｐｍ未満の低濃度の二酸化塩素ガスを閉鎖空間１２に曝露した。閉鎖空間内は、空調機１３および除湿機５により、温度を１９〜２６℃、水蒸気量を５〜１０ｇ／ｍ3、相対湿度を２５〜４２％に調整した。所定の曝露時間ごとにバイオロジカルインジケーター７を５個ずつ回収し、それぞれの残存菌数を評価した（表２）。
【００７２】
（３ｌｏｇ低減試験）
３ｌｏｇ低減を達成した実施例８〜１３−２の結果を表３に示す。
【００７３】
【表３】
2019166408.tif 000005
【００７４】
（４ｌｏｇ低減試験）
４ｌｏｇ低減を達成した実施例１４〜１９−２の結果を表４に示す。
【００７５】
【表４】
2019166408.tif 000006
【００７６】
（５ｌｏｇ低減試験）
５ｌｏｇ低減を達成した実施例２０〜２５−２の結果を表５に示す。
【００７７】
【表５】
2019166408.tif 000007
【００７８】
（６ｌｏｇ低減試験）
６ｌｏｇ低減を達成した実施例２６〜３１−２の結果を表６に示す。
【００７９】
【表６】
2019166408.tif 000008
【００８０】
＜二酸化塩素ガスの分解性（残留性）＞
（実施例３２）
図１に示される除染システムを用いて、二酸化塩素ガスの使用開始時（０分）から１１．５時間、二酸化塩素ガス濃度を経時的に測定し、二酸化塩素ガスの分解性（残留性）について評価した。閉鎖空間内の二酸化塩素ガス濃度の経時変化を表７および図４に示す。
【００８１】
【表７】
2019166408.tif 000009
【００８２】
閉鎖空間１２（無菌対応室：空間容積約３３ｍ3）に対し、２５％亜塩素酸ナトリウム水溶液約１７０ｍＬと９％塩酸約１７０ｍＬとを１７ｍＬ／分でそれぞれ吐出して反応させた。約１８分後の空間内の二酸化塩素ガス濃度は２００ｐｐｍまで到達し、濃度はほぼ安定した。以降、空間内の二酸化塩素ガス濃度が安定するように、所定量の反応液を供給および停止しながら濃度制御を行い、約１０時間曝露させた。空間内は、空調機１３および除湿機５により、温度を１９〜２６℃、水蒸気量を５〜１０ｇ／ｍ3、相対湿度を２５〜４２％に調整した。除染終了後、不要となった空間中の二酸化塩素ガスを、活性炭吸着型二酸化塩素ガス回収機４を作動させて回収した。約４３分後には閉鎖空間１２の二酸化塩素濃度が０ｐｐｍとなり、二酸化塩素ガスの回収が終了した。
【００８３】
二酸化塩素ガスの空間供給の立上げ速度および拡散性は、過酸化水素などとは異なり迅速に行えること；また、二酸化塩素ガスの回収は、ホルマリンとは異なり、材料への吸着や吸着による再蒸散がほとんどなく、短時間で空間のガス濃度が０ｐｐｍとなり、除染終了後、作業者が安全に閉鎖空間に入室可能であることが確認された。
【００８４】
＜内容物の腐食試験＞
図１に示される除染システム（除染対象空間は約３３ｍ3）において、ポンプ軸受、コンプレッサー軸受、造粒機、打錠機、充填機に使用された鉄製ベアリングを除染終了後に観察した。
【００８５】
（実施例３３）
以下の条件で二酸化塩素ガスを２回曝露した。２回の総ＣＴ値は２２８０ｐｐｍ・時であった。二酸化塩素ガス導入中の室内の平均温度、平均相対湿度、および平均水蒸気量は以下のとおりである。
１回目  平均温度：２０℃、平均相対湿度：４１％、平均水蒸気量：７．１０ｇ／ｍ3
２回目  平均温度：２２℃、平均相対湿度：４１％、平均水蒸気量：７．９７ｇ／ｍ3
２回曝露後の鉄製ベアリングに錆は確認されず、軸回転にも影響がないことが確認された。
【００８６】
（比較例１）
平均温度２９℃、平均相対湿度３９．４％の条件下で二酸化塩素ガスを曝露した。水蒸気量換算表（図５）より、平均水蒸気量は約１１．４ｇ／ｍ3と推定される。ＣＴ値は１９６ｐｐｍ・時であった。曝露後の鉄製ベアリングには錆が確認された。
【産業上の利用可能性】
【００８７】
本発明によれば、防菌、防カビ対策が必要な施設を対象として、除染を必要とする空間内の内容物を腐食することなく、従来に比べ安全かつ短時間に大空間の除染を行うことができる。したがって、本発明は、特に異物の混入が厳しく制限される医薬品工場や食品工場等における除染の際に非常に有用な手法となり得る。
【符号の説明】
【００８８】
１：二酸化塩素ガス発生機
２：二酸化塩素ガス濃度計測器（計測部）
３：二酸化塩素ガス濃度計測器（吸引部）
４：二酸化塩素ガス回収機
５：除湿機
６：サーキュレーター
７：バイオロジカルインジケーター（ＢＩ）
８ａ、８ｂ：反応液２種類（亜塩素酸ナトリウム水および塩酸）
９：ガス供給配管
１０：ガス吸入配管
１１：ガス吸引用テフロン（登録商標）チューブ
１２：閉鎖空間
１３：空調機
１４：温度湿度指示計
【図１】
2019166408.tif 000010
【図２】
2019166408.tif 000011
【図３】
2019166408.tif 000012
【図４】
2019166408.tif 000013
【図５】
2019166408.tif 000014
【図６】
2019166408.tif 000015